(57)【要約】【課題】履きやすく、かつ、履き位置がずれてしまわず、さらに履き心地の良いフットカバーを安価に製造する。【解決手段】このフットカバー１００は、爪先と踵を含む足底とを被覆するとともに足甲および足首を露出するフットカバーであって、爪先部１０２、足底部１０４、側辺部１０６および踵部１０８で形成され、足底部１０４に対して上下反対側に足を出し入れするための開口部を設け、開口部を形成する側辺部１０６および踵部１０８が編糸および／または編み組織を変化させて一体的に編成され、側辺部１０６および踵部１０８における上方部１１６が側辺部１０６および踵部１０８における他の部分よりも強い伸縮性を備える。【選択図】図１
2014227628.tif 000002
【特許請求の範囲】
【請求項１】
爪先と踵を含む足底とを被覆するとともに足甲および足首を露出するフットカバーであって、
伸縮性編地で編成された、足底部、側辺部、踵部および前記爪先を覆う爪先部で形成され、
前記足底部に対して上下反対側に足を出し入れするための開口部を設け、
前記開口部を形成する側辺部および踵部が一体的に編成され、側辺部および踵部における上方部が、側辺部および踵部における他の部分よりも強い伸縮性を備える編地で編成されたことを特徴とするフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
しかしながら、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
さらに、開口部の周縁の全体に亘って平ゴムを設ける場合には、（１）平ゴムをフットカバーに縫着したり貼付したりする必要があり製造工数が増える、（２）平ゴムが開口部全周にわたって設けられているので平ゴムが足の各部分に当たり履き心地がよくない、という問題がある。
本発明は、従来技術の上述の問題点に鑑みて開発されたものであり、その目的とするところは、フットカバーを履くときに開口部が十分に開いて履きやすく、かつ、歩行時およびパンプスの脱ぎ履き時にフットカバーが脱げてしまったり履き位置がずれてしまったり
することがなく、さらに、製造工数が少ないために安価に製造できるとともに、履き心地が良い、フットカバーを提供することを目的とする。
【課題を解決するための手段】
【０００８】
上記目的を達成するため、本発明に係るフットカバーは以下の技術的手段を講じている。
すなわち、本発明に係るフットカバーは、爪先と踵を含む足底とを被覆するとともに足甲および足首を露出する。このフットカバーは、伸縮性編地で編成された、足底部、側辺部、踵部および前記爪先を覆う爪先部で形成されている。このフットカバーは、前記足底部に対して上下反対側に足を出し入れするための開口部を設け、前記開口部を形成する側辺部および踵部が一体的に編成され、側辺部および踵部における上方部が、側辺部および踵部における他の部分よりも強い伸縮性を備える編地で編成されたことを特徴とする。
【発明の効果】
【０００９】
本発明のフットカバーによれば、フットカバーを履くときに開口部が十分に開いて履きやすく、かつ、歩行時およびパンプスの脱ぎ履き時にフットカバーが脱げてしまったり履き位置がずれてしまったりすることがないようにできる。さらに、本発明のフットカバーによれば、製造工数が少ないために安価に製造できるとともに、履き心地が良くすることができる。
【図面の簡単な説明】
【００１０】
【図１】本発明の実施の形態に係るフットカバーの全体斜視図である。
【図２】図１のフットカバーを裏返した斜視図である。
【発明を実施するための形態】
【００１１】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。なお、このフットカバーは複数の生地片（パーツ）から形成され、いずれの生地も伸縮性を備えた編地である。
【００１２】
図１および図２に本発明の実施の形態に係るフットカバー１００を示す。図１はフットカバー１００の全体斜視図であって、図２はフットカバー１００を裏返した斜視図であって、いずれの図も着用者の足Ｆにフットカバーを着用している状態を想定している。すなわち、本発明の実施の形態に係るフットカバーは、パンティストッキング等の伸縮性生地で形成されているために、このように想定して図示しない場合には縮んだ状態となり、形状を理解することが困難なため、上述のように想定している。
【００１３】
このフットカバー１００は、着用者の足Ｆの爪先と踵を含む足底とを被覆するとともに足甲および足首を露出するフットカバーである。このフットカバー１００は、着用時にパンプスから露出することのないよう履き口である開口部が大きくカットされた薄手の伸縮性生地（パンティストッキング等の生地）で形成されている。
このフットカバー１００は、爪先部１０２、足底部１０４、側辺部１０６および踵部１０８で形成されている。そして、足底部１０４に対して上下反対側に足を出し入れするための開口部が設けられている。開口部は、爪先部１０２の上部、側辺部１０６の上部および踵部１０８の上部で形成されることになる。このフットカバー１００は、たとえば、爪先部１０２、足底部１０４、側辺部１０６および踵部１０８を別々に編成して（側辺部１０６および踵部１０８は一体的に編成）、側辺部１０６および踵部１０８と爪先部１０２とを縫着線１２０で縫製して一体化して、さらに、一体化されたこれらの爪先部１０２、側辺部１０６および踵部１０８と足底部１０４とを縫着線１２２で縫製して一体化している。
【００１４】
このフットカバー１００においては、足底部１０４に対して上下反対側に足を出し入れするための開口部が爪先部１０２、側辺部１０６および踵部１０８により形成されている。そして、開口部を形成する側辺部１０６および踵部１０８が一体的に編成され、かつ、
側辺部１０６および踵部１０８における上方部１１６が側辺部１０６および踵部１０８における他の部分よりも強い伸縮性を備える編地で編成されたことを特徴とする。ここで、このフットカバー１００においては、側辺部１０６および踵部１０８を一体的に編成しており、側辺部１０６および踵部１０８における上方が上方部１１６として編成されている。
【００１５】
さらに、このフットカバー１００においては、爪先部１０２も側辺部１０６と同じように、開口部を形成する爪先部１０２が一体的に編成され、かつ、爪先部１０２における上方部１１２が爪先部１０２における他の部分よりも強い伸縮性を備える編地で編成されたことを特徴とする。なお、他の部分よりも強い伸縮性を備える編地で編成された上方部は、少なくとも側辺部１０６および踵部１０８が上方部１１６を備えればよい。
【００１６】
さらに、踵部１０８における上方部１１６の足Ｆ側（内側）には、シリコン等の薄いシートで形成された踵部滑り止め１１８が設けられている。これにより、足Ｆの踵との密着性を高めてフットカバー１００が足Ｆからずれることを防止できる。
さらに、図示しないが、足底部１０４において、足Ｆが接する側と反対側（パンプスを履いたときにパンプスの内底に接する側）には、シリコン等の薄いシートで形成され、足底部滑り止めを設けることも好ましい。これにより、パンプスの内底との密着性を高めてパンプス内におけるフットカバー１００の位置がずれることを防止できる。なお、この足底部滑り止めを、花柄模様等で形成することも好ましい。
【００１７】
このような特徴を備えたフットカバー１００についてさらに詳しく説明する。
足底部１０４は、このフットカバー１００を形成する他の部分よりも厚い編地で構成されて、クッション性を持たせている。
爪先部１０２の上方部１１２と側辺部１０６の上方部１１６（さらには踵部１０８の上方部１１６）とは同じ編地（編糸および編み組織）で形成され、爪先部１０２の上方部１１２以外の部分と側辺部１０６の上方部１１６以外の部分（さらには踵部１０８の上方部１１６以外の部分）とは同じ編地（編糸および編み組織）で形成されている。
【００１８】
上方部１１２および上方部１１６は、たとえば、ゴム糸を挿入して編成され、それに続いて一体的に編成される上方部１１２以外の部分および上方部１１６以外の部分は、この上方部１１２および上方部１１６よりも伸縮性が弱い編地（編糸および編み組織）で形成されている。すなわち、上方部１１２および上方部１１６は、他の部分よりも伸縮性が強く、締め付ける力が強い。
【００１９】
このように伸縮性を変化させて、かつ、一体的に編成することは、編み糸および／または編地を変化させることにより実現することができる。このように伸縮性を変化させることができれば、このフットカバー１００における爪先部１０２、側辺部１０６および踵部１０８を編成する編糸および編み組織は特に限定されるものではなく、用途および使用目的（特に伸縮性）に応じて適宜選択することができる。たとえば、編糸については、所望の伸縮性および／または伸縮性の所望の差を発現するために、ポリウレタン弾性糸などを芯糸にしたシングルカバードヤーン（ＳＣＹ）、ダブルカバードヤーン（ＤＣＹ）、コアスパンヤーン（ＣＳＹ）等のカバリング弾性糸のようなより伸縮性が強い糸を用いて上方部を編成し、それ以外を伸縮性が弱い糸を用いて編成する。また、伸縮性の糸と綿等の非伸縮性の糸とを併用して交編またはプレーティング編みとすることにより編地の伸縮性を高めて上方部を編成し、それ以外を伸縮性が弱くなる編み組織で編成する。
【００２０】
このように、編糸および／または編み組織を変化させることにより、爪先部１０２、側辺部１０６および踵部１０８において、上方部とそれ以外の部分との伸縮性を変化させて（伸縮性（緊締力）が上方部で強くそれ以外で弱く）一体として編成している。このため、このフットカバー１００においは、平ゴム等の伸縮性細幅生地を、フットカバー生地に、熱プレス装置で接合する必要がない。
【００２１】
以上のようにして、本実施の形態に係るフットカバーによると、開口部の上方を伸縮力（緊締力）が大きくなるように一体的に編成したので、開口部に平ゴムをはじめとする編地とは別の素材を設けることなく、かつ、履き心地を阻害することなく、歩行時およびパンプスの脱ぎ履き時にフットカバーが脱げてしまったり履き位置がずれてしまったりする
ことを防止することができる。
【００２２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２３】
本発明は、素足で履くフットカバーに好適であり、フットカバーを履くときに開口部が十分に開いて履きやすく、かつ、歩行時およびパンプスの脱ぎ履き時にフットカバーが脱げてしまったり履き位置がずれてしまったりすることがない点で好ましく、履き心地がよく安価に製造できる点で、特に好ましい。
【符号の説明】
【００２４】
１００  フットカバー
１０２  爪先部
１１２  （伸縮力または緊締力が大きい）上方部
１０４  足底部
１０６  側辺部
１１６  （伸縮力または緊締力が大きい）上方部
１０８  踵部
１１８  踵部滑り止め
１２０、１２２  縫着線
Ｆ  足
【図１】
2014227628.tif 000003
【図２】
2014227628.tif 000004